【手続補正書】
【提出日】平成16年9月9日(2004.9.9)
【手続補正１】
【補正対象書類名】明細書
【補正対象項目名】特許請求の範囲
【補正方法】変更
【補正の内容】
【特許請求の範囲】
【請求項１】
撮像手段により撮影された画像情報とフレーム情報とを合成して出力する画像合成処理方法において、前記画像情報が撮影された時の上下方向に合わせたフレーム情報を選択するフレーム情報の選択ステップを有し、前記フレーム情報は、横向きで撮影された写真用のフレーム情報と、縦向きで右が上で撮影された写真用のフレーム情報と、縦向きで左が上で撮影された写真用のフレーム情報とを有することを特徴とする画像合成処理方法。
【請求項２】
さらに、前記画像情報を所定方向に所定角度回転処理する回転処理ステップを有することを特徴とする請求項１記載の画像合成処理方法。
【請求項３】
前記回転処理ステップは、前記画像情報を右方向に９０度回転処理することを特徴とする請求項２記載の画像合成処理方法。
【請求項４】
前記フレーム情報は、合成画像の全体の大きさ情報を含むフレームサイズ情報、合成される写真の位置と大きさ情報を含む読み込み画像位置情報、フレームを構成する部品のフレーム内での位置と大きさを示す合成部品位置情報、合成部品である画像情報へのポインタ情報である合成部品ポインタ情報を含むことを特徴とする請求項１乃至３の何れか１項に記載の画像合成処理方法。
【請求項５】
前記画像情報をフレームに合成する際に、前記画像情報を拡大または縮小して、前記読み込み画像位置情報に合うように加工することを特徴とする請求項１乃至４の何れか１項に記載の画像合成処理方法。
【請求項６】
撮像手段により撮影された画像情報とフレーム情報とを合成して出力する画像合成処理装置において、前記画像情報が撮影された時の上下方向に合わせたフレーム情報を選択するフレーム情報の選択手段を有し、前記フレーム情報は、横向きで撮影された写真用のフレーム情報と、縦向きで右が上で撮影された写真用のフレーム情報と、縦向きで左が上で撮影された写真用のフレーム情報とを有することを特徴とする画像合成処理装置。
【請求項７】
撮像手段により撮影された画像情報とフレーム情報とを合成して出力する画像合成処理装置を制御するための制御プログラムを格納し且つ読取手段により読み取り可能な記憶媒体であって、前記制御プログラムは、前記画像情報が撮影された時の上下方向に合わせたフレーム情報を選択するフレーム情報の選択モジュールを有し、前記フレーム情報は、横向きで撮影された写真用のフレーム情報と、縦向きで右が上で撮影された写真用のフレーム情報と、縦向きで左が上で撮影された写真用のフレーム情報とを有することを特徴とする記憶媒体。
【手続補正２】
【補正対象書類名】明細書
【補正対象項目名】０００６
【補正方法】変更
【補正の内容】
【０００６】
本発明は上述した従来の技術の有するこのような問題点に鑑みてなされたものであり、その目的とするところは、複雑な画像合成処理のために必要なコンピュータやワードプロセッサといった比較的高価な機器を用いることなく、使用者が簡単に年賀状やアルバム等を作成することができるようにした画像合成処理方法及び装置並びに記憶媒体を提供することにある。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
【課題を解決するための手段】
上記目的を達成するために請求項１記載の画像合成処理方法は、撮像手段により撮影された画像情報とフレーム情報とを合成して出力する画像合成処理方法において、画像情報が撮影された時の上下方向に合わせたフレーム情報を選択するフレーム情報の選択ステップを有し、前記フレーム情報は、横向きで撮影された写真用のフレーム情報と、縦向きで右が上で撮影された写真用のフレーム情報と、縦向きで左が上で撮影された写真用のフレーム情報とを有することを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
また、上記目的を達成するために請求項６記載の画像合成処理装置は、撮像手段により撮影された画像情報とフレーム情報とを合成して出力する画像合成処理装置において、画像情報が撮影された時の上下方向に合わせたフレーム情報を選択するフレーム情報の選択手段を有し、前記フレーム情報は、横向きで撮影された写真用のフレーム情報と、縦向きで右が上で撮影された写真用のフレーム情報と、縦向きで左が上で撮影された写真用のフレーム情報とを有することを特徴とする。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】変更
【補正の内容】
【００２４】
また、上記目的を達成するために請求項７記載の記憶媒体は、撮像手段により撮影された画像情報とフレーム情報とを合成して出力する画像合成処理装置を制御するための制御プログラムを格納し且つ読取手段により読み取り可能な記憶媒体であって、前記制御プログラムは、前記画像情報が撮影された時の上下方向に合わせたフレーム情報を選択するフレーム情報の選択モジュールを有し、前記フレーム情報は、横向きで撮影された写真用のフレーム情報と、縦向きで右が上で撮影された写真用のフレーム情報と、縦向きで左が上で撮影された写真用のフレーム情報とを有することを特徴とする。
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００６９
【補正方法】変更
【補正の内容】
【００６９】
【発明の効果】
以上詳述したように本発明によれば、従来、パーソナルコンピュータやその上で機能する特定のソフトウェアを使用しなければ実現できなかった複雑な画像合成処理が、少ないメモリで多くのフレーム画像を提供することにより、写真画像の選択とフレーム画像の選択という使用者の２つの選択のみにより実現することができる。
【手続補正３８】
【補正対象書類名】明細書
【補正対象項目名】００７０
【補正方法】削除
【補正の内容】